(57)【要約】【課題】内層体を外層体から剥離し易くして、内容物の注出時に、内層体の剥離不良や外層体の変形が生じることを防止することできる二重容器を提案することである。【解決手段】筒状の注出口２ａと該注出口２ａに連なる胴部２ｂとを備え、注出口２ａの側部に該注出口２ａを内外方向に貫通する空気流入孔４が設けられた外層体２と、注出口２ａの開口端に連なる開口部３ａと該開口部３ａに連なる内容物の収容部３ｂとを備え、外層体２に収容される内層体３とを設け、外層体２の胴部２ｂに、外層側突起状部５を設け、外層側突起状部５の、内層体３の側を向く内面の、注出口２ａの軸心に沿う方向の縦断面形状をアンダーカット形状とし、内層体３に、外層側突起状部５の内面に対応した縦断面形状の内層側突起状部６を設け、外層側突起状部と内層側突起状部との間に隙間を設ける。【選択図】図１
2014091539.tif 000002
【特許請求の範囲】
【請求項１】
筒状の注出口と該注出口に連なる胴部とを備え、前記注出口の側部に該注出口を内外方向に貫通する空気流入孔が設けられた外層体と、前記注出口の開口端に連なる開口部と該開口部に連なる内容物の収容部とを備え、前記外層体に収容される内層体と、を有する二重容器であって、
前記外層体の胴部に、外層側突起状部を設け、
前記外層側突起状部の、前記内層体の側を向く内面の、前記注出口の軸心に沿う方向の縦断面形状をアンダーカット形状とし、
前記内層体に、前記外層側突起状部の内面に対応した縦断面形状の内層側突起状部を設け、前記外層側突起状部と前記内層側突起状部との間に隙間を設けたことを特徴とする二重容器。
【請求項２】
前記外層側突起状部が、前記内層体の側へ向けて突出する、請求項１の二重容器。
【請求項３】
前記胴部の前記注出口とは反対側となる底部が、その外縁に対して中心側が前記注出口の側へ向けて凹んだ凹形状に形成され、
前記外層側突起状部の、前記内層体とは反対側を向く外面が、前記胴部の内側へ向かうにつれて前記注出口の側へ近づく方向に傾斜する傾斜面と、該傾斜面に対して前記注出口の側に配置され、前記注出口の軸心に垂直な平坦面と、前記傾斜面と前記平坦面とを連ねるとともに前記平坦面に対して前記注出口の側へ向けて凹んだ切り込み面とを有する凹形状に形成された、請求項２記載の二重容器。
【請求項４】
前記外層側突起状部の、前記内層体とは反対側を向く外面が、前記注出口の軸心に垂直な平坦面と、該平坦面に対して前記注出口の側に配置され、前記平坦面に連なる湾曲面とを有する凹形状に形成された、請求項２記載の二重容器。
【請求項５】
前記外層側突起状部の少なくとも一部を、前記空気流入孔の軸方向から見た平面視で、前記空気流入孔の軸心を中心として、前記胴部の底部の側へ向けた、６０度以上、９０度以下の範囲に配置した、請求項１〜４の何れか１項に記載の二重容器。
【発明の詳細な説明】
【技術分野】
【０００１】
本発明は、内容物を収容する内層体を、外層体の内部に収容した２層構造に形成され、内容物の注出時に、外層体と内層体との間に空気流入孔から外気を取り入れて、内層体のみを収縮させるようにした二重容器に関する。
【背景技術】
【０００２】
化粧水などの化粧料や、シャンプーやリンスあるいは液体石鹸、また食品調味料などを収納する容器としては、内容物を収容する収容部を備えた内層体と、この内層体を剥離可能に収容する外層体とを備え、外層体の胴部を押圧することで内容物を注出する一方、押圧解除後は、外層体の注出口に設けた空気流入孔から、内層体と外層体との間に外気を導入して、内層体を減容したまま胴部が復元できるようにした二重容器が知られている（例えば特許文献１参照）。この種の容器は、内容物と外気との置換を行うことなく、注出を行うことができるので、内容物の外気との接触を減らして、その劣化や変質を抑制することができる。
【先行技術文献】
【特許文献】
【０００３】
【特許文献１】特開２００１−１０６２６３号公報
【発明の概要】
【発明が解決しようとする課題】
【０００４】
このような二重容器としては、デラミ容器とも呼ばれる積層剥離容器が知られており、この場合二重容器は、相溶性の低い外層用の合成樹脂と内層用の合成樹脂とを共押出して積層パリソンとし、この積層パリソンを、金型を用いてブロー成形することにより、外層体と内層体とが密着した積層構造に形成される。そのため、ブロー成形の後に、例えば、空気流入孔から空気を圧送し、または注出口から負圧吸引をして内層体を収縮させて、その全体を外層体から剥離させ、次いで、内層体の内部に空気を送り込み、その全体を再度外層体に密着させて、収容物の注出時に、内層体が外層体から剥離し易くなるようにしている。
【０００５】
しかしながら、従来の二重容器では、上記のように、ブロー成形後に、内層体を一旦外層体から全剥離するようにしても、内層体は、その外面全体が再度外層体の内面全体に密着するので、収容物の注出時に、空気流入孔から外層体と内層体の間へ空気が入り難くなって、内層体の剥離不良や外層体の変形を生じる場合があった。
【０００６】
本発明は、このような従来の問題点を解決することを課題とするものであり、その目的は、内層体を外層体から剥離し易くして、内容物の注出時に、内層体の剥離不良や外層体の変形が生じることを防止することできる二重容器を提案することにある。
【課題を解決するための手段】
【０００７】
本発明の二重容器は、筒状の注出口と該注出口に連なる胴部とを備え、前記注出口の側部に該注出口を内外方向に貫通する空気流入孔が設けられた外層体と、前記注出口の開口端に連なる開口部と該開口部に連なる内容物の収容部とを備え、前記外層体に収容される内層体と、を有する二重容器であって、前記外層体の胴部に、外層側突起状部を設け、前記外層側突起状部の、前記内層体の側を向く内面の、前記注出口の軸心に沿う方向の縦断面形状をアンダーカット形状とし、前記内層体に、前記外層側突起状部の内面に対応した縦断面形状の内層側突起状部を設け、前記外層側突起状部と前記内層側突起状部との間に隙間を設けたことを特徴とする。
【０００８】
上記構成においては、前記外層側突起状部が、前記内層体の側へ向けて突出するのが好ましい。
【０００９】
上記構成においては、前記胴部の前記注出口とは反対側となる底部が、その外縁に対して中心側が前記注出口の側へ向けて凹んだ凹形状に形成され、前記外層側突起状部の、前記内層体とは反対側を向く外面が、前記胴部の内側へ向かうにつれて前記注出口の側へ近づく方向に傾斜する傾斜面と、該傾斜面に対して前記注出口の側に配置され、前記注出口の軸心に垂直な平坦面と、前記傾斜面と前記平坦面とを連ねるとともに前記平坦面に対して前記注出口の側へ向けて凹んだ切り込み面とを有する凹形状に形成されるのが好ましい。
【００１０】
上記構成においては、前記外層側突起状部の、前記内層体とは反対側を向く外面が、前記注出口の軸心に垂直な平坦面と、該平坦面に対して前記注出口の側に配置され、前記平坦面に連なる湾曲面とを有する凹形状に形成されるのが好ましい。
【００１１】
上記構成においては、前記外層側突起状部の少なくとも一部を、前記空気流入孔の軸方向から見た平面視で、前記空気流入孔の軸心を中心として、前記胴部の底部の側へ向けた、６０度以上、９０度以下の範囲に配置するのが好ましい。
【発明の効果】
【００１２】
本発明によれば、外層体の胴部に外層側突起状部を設け、この外層側突起状部の内層体の側を向く内面の縦断面形状をアンダーカット形状とし、内層体に当該内面のアンダーカット形状に対応した縦断面形状の内層側突起状部を設け、前記外層側突起状部と前記内層側突起状部との間に隙間を設けるようにしたので、内層体が外層体から剥離された後に、内層体の内層側突起状部を外層体の外層側突起状部に嵌まりづらくして、当該突起状部の周りの外層体と内層体との間に隙間を維持させることができる。したがって、この隙間により、内容物を注出する際に、空気流入孔から流入した外気を、当該隙間を介して外層体と内層体の間へ流入させることができるので、内層体を外層体から剥がれ易くして、この二重容器の内層体の剥離不良や外層体の変形を防止することができる。
【００１３】
上記構成において、外層側突起状部を、内層体の側へ向けて突出させた場合には、この二重容器の美観や操作性を損なうことなく、上記効果を得ることができる。
【００１４】
上記構成において、胴部の底部を、その外縁に対して中心側が注出口の側へ向けて凹んだ凹形状に形成するとともに、外層側突起状部の、内層体とは反対側を向く外面を、胴部の内側へ向かうにつれて注出口の側へ近づく方向に傾斜する傾斜面と、該傾斜面に対して注出口の側に配置され、注出口の軸心に垂直な平坦面と、傾斜面と平坦面とを連ねるとともに平坦面に対して注出口の側へ向けて凹んだ切り込み面とを有する凹形状に形成した場合には、金型により、外層側突起状部の内面に、ブロー成形により、容易にアンダーカット形状を形成することができるとともに、ブロー成形後に二重容器を金型から取り外す際に、底部の形状に合わせて二重容器が上方へ移動することにより、金型を外層側突起状部から容易に離型させることができる。
【００１５】
上記構成において、外層側突起状部の、内層体とは反対側を向く外面を、注出口の軸心に垂直な平坦面と、該平坦面に対して前記注出口の側に配置され、平坦面に連なる湾曲面とを有する凹形状に形成した場合には、外層側突起状部の内面に、ブロー成形により、容易にアンダーカット形状を形成することができる。
【００１６】
上記構成において、外層側突起状部の少なくとも一部を、空気流入孔の軸方向から見た平面視で、空気流入孔の軸心を中心として、胴部の底部の側へ向けた、６０度以上、９０度以下の範囲に配置した場合には、内層体を外層体から剥離させ、再度密着させたときに、空気流入孔の周りに生じるしわ状の隙間を、外層側突起状部と内層側突起状部との間に生じる隙間に連通させて、空気流入孔と胴部との間で、より空気の流路を確保し易くすることができる。
【図面の簡単な説明】
【００１７】
【図１】本発明の二重容器の一実施の形態である積層剥離容器の正面図である。
【図２】図１におけるＡ−Ａ線に沿う断面図である。
【図３】図１におけるＢ−Ｂ線に沿う断面図であり、（ａ）は内層体の剥離前の状態を示す断面図であり、（ｂ）は内層体の剥離後の状態を示す断面図である。
【図４】金型を用いたブロー成形により、図１に示す積層剥離容器を成形した状態を模式的に示す断面図である。
【図５】図４に示すブロー成形後に、積層剥離容器を金型から取り外す様子を模式的に示す断面図である。
【図６】本発明の他の実施の形態である積層剥離容器を示す正面図である。
【図７】図６におけるＣ−Ｃ線に沿う断面図であり、（ａ）は内層体の剥離前の状態を示す断面図であり、（ｂ）は内層体の剥離後の状態を示す断面図である。
【図８】金型を用いたブロー成形により、図６に示す積層剥離容器を成形した状態を模式的に示す断面図である。
【図９】図８に示すブロー成形後に、積層剥離容器を金型から取り外す様子を模式的に示す断面図である。
【図１０】図１に示す外層側突起状部の配置の変形例を説明するための積層剥離容器の一部切欠き正面図である。
【発明を実施するための形態】
【００１８】
以下、本発明の実施の形態を図面に基づいて詳細に例示説明する。
【００１９】
図１〜図３に示すように、本発明の二重容器の一実施の形態である積層剥離容器１は、外殻を構成する外層体２と、外層体２の内部に収容される内層体３とを有している。デラミ容器とも呼ばれるこの積層剥離容器１は、例えば、相溶性の低い外層用の合成樹脂と、内層用の合成樹脂とを共押出して積層パリソンを形成し、この積層パリソンを、金型を用いてブロー成形することにより、外層体２の内面に内層体３が剥離可能に密着した積層構造に形成される。
【００２０】
外層体２は、断面円形の筒状に形成された注出口２ａと、この注出口２ａに一体に連なる断面円形の胴部２ｂとを有するボトル状に形成されている。胴部２ｂは可撓性を有しており、スクイズされて凹むことができるとともに、凹んだ状態から元の形状に復元することができる。また、胴部２ｂの、注出口２ａとは反対側となる底部２ｃは、その外周縁に対して中心側が注出口２ａの側に向けて凹んだ凹形状に形成されている。
【００２１】
内層体３は、外層体２よりも薄肉の袋状に形成されており、その外面は外層体２の内面に剥離可能に密着している。内層体３の開口部３ａは、外層体２の注出口２ａの開口端に連ねられ、内層体３の内部は、開口部３ａに連なる収容部３ｂとなっている。この収容部３ｂには、例えば、化粧水などの化粧料、シャンプーやリンスあるいは液体石鹸、また食品調味料などの液体状の内容物が収納される。
【００２２】
外層体２の注出口２ａの側部（外周部）には、注出口２ａを径方向に沿って内外に貫通する空気流入孔４が設けられている。この空気流入孔４は、外層体２と内層体３の間に連通しており、内層体３が外層体２から剥離したときに、外層体２と内層体３との間に外気を導入することができる。
【００２３】
外層体２の注出口２ａには、例えば、注出用弁が配設された注出キャップ、各種ノズルまたは注出ポンプ等の部材が装着され、これらの部材を介して、内容物が注出される。これらの部材は、注出口２ａに設けられたねじ部２ｄにねじ結合して当該注出口２ａに固定されるが、アンダーカット等の他の手段により固定される構成とすることもできる。
【００２４】
このような積層剥離容器１は、注出口２ａに注出用弁が配設された注出キャップを装着した場合には、外層体２の胴部２ｂをスクイズすることによって、注出口２ａから内容物を注出することができる。内容物の注出後、外層体２が元の形状に復元する際には、空気流入孔４から外層体２と内層体３との間に外気が流入するので、内層体３の収容部３ｂを減容させたまま、外層体２を元の形状に復元させることができる。したがって、内容物を注出しても、注出口２ａから内層体３の収容部３ｂの内部へ外気が流入することがないので、収容部３ｂに収容された内容物は空気に触れることなく、その劣化が防止される。また、外層体２を傾けることにより、内層体３の収容部３ｂに収容した内容物を自重で注出口２ａから注出することもできる。なお、注出口２ａにポンプを装着した場合には、外層体２として可撓性を有していないものを用いることができる。
【００２５】
図１、図２に示すように、外層体２の胴部２ｂには、内容物を注出する際に、内層体３を外層体２から剥がれ易くするために、一対の外層側突起状部５が周方向に並べて設けられている。外層側突起状部５は、金型を用いたブロー成形により、胴部２ｂに一体に設けられる。これらの外層側突起状部５の構成は、基本的に同一であるので、以下では、一方の外層側突起状部５についてのみ説明する。
【００２６】
図３に示すように、外層側突起状部５は、外層体２に、内層体３の側つまり外層体２の外周面に対して積層剥離容器１の内側へ向けて突出して設けられており、その外観は、外層体２の外周面に対して内側へ向けて凹んだ凹形状となっている。
【００２７】
この外層側突起状部５は、上側壁５ａ、下側壁５ｂ、連結壁５ｃおよび一対の側壁５ｄを備えている。上側壁５ａは、注出口２ａの軸心に垂直に延びて形成されている。下側壁５ｂは、上側壁５ａに対して下側つまり底部２ｃの側に配置されており、注出口２ａの軸心に垂直な方向に対して、胴部２ｂの内側へ向かうにつれて注出口２ａの側へ近づく方向に傾斜している。連結壁５ｃは、上側壁５ａと下側壁５ｂとを連ねており、その一部が、上側壁５ａに対して注出口２ａの側へ突出する湾曲形状に形成されている。側壁５ｄは、上側壁５ａ、下側壁５ｂおよび連結壁５ｃの周方向端部に連なり、外層側突起状部５の凹形状の周方向端部を区画している。なお、図３においては、一方の側壁５ｄのみが示されるが、同様の側壁５ｄが、外層側突起状部５の周方向の他端側にも設けられる。
【００２８】
上側壁５ａの外面は注出口２ａの軸心に垂直な平坦面５ｅとなっており、下側壁５ｂの外面は胴部２ｂの内側へ向かうにつれて注出口２ａの側へ近づく方向に傾斜する傾斜面５ｆとなっており、連結壁５ｃの外面は平坦面５ｅと傾斜面５ｆとを連ねるとともに、その一部が平坦面５ｅに対して注出口２ａの側へ向けて凹んだ切り込み面５ｇとなっている。このように、外層側突起状部５の内層体３とは反対側を向く外面は、平坦面５ｅ、傾斜面５ｆおよび切り込み面５ｇで構成されている。
【００２９】
一方、外層側突起状部５の、内層体３の側を向く内面の、注出口２ａの軸心に沿う方向の縦断面形状は、アンダーカット形状とされている。つまり、外層側突起状部５は、その連結壁５ｃの内層体３の側を向く内面の一部が、外層体２の内面に垂直な方向つまり外層体２に対して内層体３が剥離する方向に対して、上側壁５ａよりも注出口２ａの側に向けて突出する、アンダーカット形状とされている。
【００３０】
外層側突起状部５に対応して、内層体３には内層側突起状部６が設けられている。なお、図３においては、一方の外層側突起状部５に対応する一方の内層側突起状部６のみを示すが、内層体３には、他方の外層側突起状部５に対応する別の内層側突起状部６も設けられている。内層側突起状部６は、内層体３の外周面から当該内層体３の内側へ向けて突出しており、外層側突起状部５の内面に対応した縦断面形状を有している。内層側突起状部６の外面は、外層側突起状部５の内面と同一形状となっており、ブロー成形後においては、図３（ａ）に示すように、内層側突起状部６の外面は、外層側突起状部５の内面に密着している。
【００３１】
外層体２に、内面がアンダーカット形状となる外層側突起状部５を設け、内層体３に、外層側突起状部５のアンダーカット形状に対応した形状の外面を有する内層側突起状部６を設けたことにより、図３（ｂ）に示すように、一旦、内層体３が外層体２から剥離されると、内層体３の内層側突起状部６が、外層体２の外層側突起状部５に再度嵌まり込むことが困難となり、外層側突起状部５と内層側突起状部６との周りに隙間が維持される。例えば、この積層剥離容器１のブロー成形の後に、負圧吸引により内層体３を収縮させて、その全体を外層体２から剥離させ、次いで、内層体３の内部に空気を送り込むと、外層側突起状部５と内層側突起状部６との間に隙間を維持しつつ、内層体３の他の部分を外層体２の内面に密着させることができる。したがって、内層体３に内容物を収容後、この内容物を注出口２ａから注出する際には、外層側突起状部５と内層側突起状部６との周りの隙間が空気の流路となって、空気流入孔４から流入した外気は、胴部２ｂの底部２ｃの側における外層体２と内層体３の間にまで、容易に流入することができる。これにより、内層体３を外層体２から剥がれ易くして、積層剥離容器１の内層体３の剥離不良や外層体２の変形を防止することができる。
【００３２】
上記のように、外層体２に設けた外層側突起状部５の外面を、注出口２ａの軸心に垂直な平坦面５ｅ、胴部２ｂの内側へ向かうにつれて注出口２ａの側へ近づく方向に傾斜する傾斜面５ｆおよび平坦面５ｅに対して注出口２ａの側へ向けて凹んだ切り込み面５ｇを有するアンダーカット形状としたことにより、積層剥離容器１を、金型を用いてブロー成形する際に、外層側突起状部５の内面を容易にアンダーカット形状とすることができる。つまり、図４に示すように、ブロー成形用の金型７の内部に、外層側突起状部５の外面に対応したアンダーカット形状の凸部７ａを設け、この金型７を用いて積層パリソンをブロー成形することにより、アンダーカット形状の外層側突起状部５を容易に形成することができる。積層剥離容器１の底部２ｃは、凹形状に形成されるので、図５に示すように、ブロー成形後に、金型７を、その上下方向つまり注出口２ａの軸心に沿ったヒンジ軸（不図示）を中心として開いて、積層剥離容器１を金型７から取り外す際には、当該容器１は、底部２ｃが金型７の底面７ｂに沿って移動することにより、上方へ移動することになる。このとき、外層側突起状部５の外面は、注出口２ａの側つまり上方へ向けて延びるアンダーカット形状となっており、また、その上側壁５ａの外面である平坦面５ｅは注出口２ａの軸方向に垂直に形成され、下側壁５ｂの傾斜面５ｆは、胴部２ｂの内側へ向かうにつれて注出口２ａの側へ近づく方向に傾斜しているので、ブロー成形後に、金型７の凸部７ａから外層側突起状部５を容易に離脱させることができる。したがって、積層剥離容器１を、金型７から容易に取り外すことが可能となる。
【００３３】
図６は、本発明の二重容器の他の実施の形態である積層剥離容器を示す正面図である。図６においては、前述した部材に対応する部材には同一の符号を付してある。
【００３４】
図６に示す積層剥離容器１０は、図１に示す積層剥離容器１に対して、その底部２ｃの底上げが低くなっているとともに、下記のように、外層側突起状部１１の形状が相違している。
【００３５】
図７に示すように、この積層剥離容器１０の外層側突起状部１１は、内層体３の側つまり外層体２の外周面に対して積層剥離容器１０の内側へ向けて突出しており、その外観は、外層体２の外周面に対して内側へ向けて凹んだ凹形状となっている。この外層側突起状部１１の下側壁１１ａは、注出口２ａの軸心に垂直に延びており、上側壁１１ｂは、下側壁１１ａの内側端と外層体２の外周面とに連なる凹形状に形成されている。下側壁１１ａの外面は注出口２ａの軸心に垂直な平坦面１１ｃとなっており、上側壁１１ｂの外面は、下側壁１１ａの平坦面１１ｃに対して上側つまり注出口２ａに側に配置されるとともに、平坦面１１ｃに連なる凹形状の湾曲面１１ｄとなっている。
【００３６】
そして、この積層剥離容器１０においても、外層側突起状部１１の内層体３の側を向く内面の、注出口２ａの軸心に沿う方向の縦断面形状は、アンダーカット形状とされている。この場合、外層側突起状部１１は、その下側壁１１ａの内面の、外層体２の外周面との境界部分が、当該下側壁１１ａの他の部分に対して、外層体２の内面に垂直な方向つまり外層体２に対して内層体３が剥離する方向に垂直な方向であって、上方側つまり注出口２ａの側へ向けて凹んだアンダーカット形状とされている。
【００３７】
図８に示すように、ブロー成形用の金型７の内部に外層側突起部１１の外面に対応したアンダーカット形状の凸部７ａを設け、この金型７を用いて外層側突起状部１１の内面を容易にアンダーカット形状とすることができる。
【００３８】
また、上側壁１１ｂの外面を湾曲面１１ｄとすることにより、ブロー成形時に、積層パリソンを、金型の形状に沿ってブロー成形して下側壁１１ａの外層体２の内面との境界部分を、より強いアンダーカット形状とすることができる。
【００３９】
この外層側突起状部１１に対応して、内層体３には内層側突起状部１２が設けられている。この内層側突起状部１２は、内層体３の外周面から当該内層体３の内側へ向けて突出しており、外層側突起状部１１の内面に対応した縦断面形状を有している。内層側突起状部１２の外面は、外層側突起状部１１の内面と同一形状となっており、ブロー成形後においては、図７（ａ）に示すように、外層側突起状部１１の内面に密着している。
【００４０】
したがって、この積層剥離容器１０においても、図７（ｂ）に示すように、一旦、内層体３が外層体２から剥離されると、内層体３の内層側突起状部１２が、外層体２の外層側突起状部１１に再度嵌まり込むことが困難となり、外層側突起状部１１と内層側突起状部１２との周りに隙間を維持することができる。
【００４１】
この積層剥離容器１０も、図８に示すように、外層側突起状部１１を形成するための凸部７ｂを備えた金型７を用いて積層パリソンをブロー成形することにより形成される。このとき、この積層剥離容器１０の底部２ｃは、図１に示す積層剥離容器１に比べて、その底部２ｃの底上げが浅くされているので、図９に示すように、外層側突起状部１１の下側壁１１ａの外面を、注出口２ａの軸心に垂直な平坦面１１ｃとしても、ブロー成形後に、金型７の凸部７ａから外層側突起状部１１を容易に離脱させて、積層剥離容器１０を、金型７から容易に取り外すことができる。
【００４２】
図１０は、図１に示す外層側突起状部の配置の変形例を説明するための二重容器の一部切欠き正面図である。
【００４３】
図１０に示す変形例では、外層体２の外面に設けられる２つの外層側突起状部５の一部を、空気流入孔４の軸方向から見た平面視で、空気流入孔４の軸心を中心として、該空気流入孔４の中心を通り且つ注出口２ａの軸心に平行な方向に向けた、６０度以上、９０度以下の範囲に配置するようにしている。
【００４４】
上記のように、ブロー成形後に、内層体３を外層体２から一旦剥離し、再度密着させるようにすると、注出口２ａの空気流入孔４の周りにおいて、外層体２に密着する内層体３にしわが寄り、外層体２と内層体３の間には、空気流入孔４から胴部２ｂへ向けて、しわ状の隙間が生じる。この隙間は、空気流入孔４の軸心を中心として、胴部２ｂの側へ向けた６０度から９０度の範囲に生じる場合が多いので、上記範囲に外層側突起状部５を配置することにより、空気流入孔４の周りに生じるしわ状の隙間を、外層側突起状部５と内層側突起状部リブ６との間に生じる隙間に連通させて、空気流入孔４と胴部２ｂとの間で、より空気の流路を確保し易くすることができる。図示する場合では、外層側突起状部５の一部を、空気流入孔４の軸心を中心として、該空気流入孔４の中心を通り且つ注出口２ａの軸心に平行な方向に向けた、６０度以上、９０度以下の範囲に配置するようにしているが、例えば、外層側突起状部５の全部を当該範囲に配置するなど、外層側突起状部５の少なくとも一部が上記範囲に配置されて、空気流入孔４と胴部２ｂとの間に連通流路が形成されるようになっていればよい。
【００４５】
本発明は前記実施の形態に限定されるものではなく、その要旨を逸脱しない範囲で種々変更可能であることはいうまでもない。例えば、前記実施の形態においては、注出口２ａに１つの空気流入孔４を設け、この空気流入孔４に対応した一対の外層側突起状部５，１１を外層体２に設けるようにしているが、注出口２ａに複数の空気流入孔４を設け、これらの空気流入孔４に対応した複数対の外層側突起状部５，１１を外層体２に設けるようにしてもよい。
【００４６】
また、外層側突起状部５，１１は、その内面の縦断面形状がアンダーカット形状に形成されたものであれば、その外面を他の形状に形成することもできる。
【００４７】
さらに、外層側突起状部５，１１は、外層体２に対して内層体３の側に突出する形状のものに限らず、外層体２に対して内層体３とは反対側となる外側に向けて突出する形状に形成するようにしてもよい。
【００４８】
さらに本発明の二重容器は、外層体２と内層体３とを積層パリソンのブロー成形により一体に形成した積層剥離容器１に限らず、外層体２と内層体３とを別々に形成した後、内層体３を外層体２の内部に組み込むようにした構成の二重容器とすることもできる。
【符号の説明】
【００４９】
１    積層剥離容器（二重容器）
２    外層体
２ａ  注出口
２ｂ  胴部
２ｃ  底部
３    内層体
３ａ  開口部
３ｂ  収容部
４    空気流入孔
５    外層側突起状部
５ａ  上側壁
５ｂ  下側壁
５ｃ  連結壁
５ｄ  側壁
５ｅ  平坦面
５ｆ  傾斜面
５ｇ  切り込み面
６    内層側突起状部
７    金型
７ａ  凸部
７ｂ  底面
１０    積層剥離容器（二重容器）
１１    外層側突起状部
１１ａ  下側壁
１１ｂ  上側壁
１１ｃ  平坦面
１１ｄ  湾曲面
１２    内層側突起状部
【図１】
2014091539.tif 000003
【図２】
2014091539.tif 000004
【図３】
2014091539.tif 000005
【図４】
2014091539.tif 000006
【図５】
2014091539.tif 000007
【図６】
2014091539.tif 000008
【図７】
2014091539.tif 000009
【図８】
2014091539.tif 000010
【図９】
2014091539.tif 000011
【図１０】
2014091539.tif 000012